(57)【特許請求の範囲】
【請求項１】
情報配信側との間で結ばれた契約により情報受信側の契約者が受け取った配信情報を情報記録媒体に記録する情報記録装置であって、
通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域から取り出した上記契約者情報に基づいて上記情報記録媒体の上記ＲＡＭ領域に上記配信情報を書き込む書き込み制御手段を備えており、
上記書き込み制御手段は、上記情報記録媒体の上記ＲＡＭ領域に上記配信情報を書き込むと共に、上記電気的消去型のプログラマブルＲＯＭ領域に記録されている上記課金情報を上記配信情報の上記ＲＡＭ領域への書き込みに応じて更新することを特徴とする情報記録装置。
【請求項２】
上記書き込み制御手段が上記ＲＡＭ領域に書き込む上記配信情報は、暗号化処理されたオーディオ、ビデオ及び／又はコンピュータのデータであることを特徴とする請求項１記載の情報記録装置。
【請求項３】
上記書き込み制御手段が上記ＲＡＭ領域に書き込む上記配信情報は、圧縮処理されたオーディオ、ビデオ及び／又はコンピュータのデータであることを特徴とする請求項１記載の情報記録装置。
【請求項４】
上記書き込み制御手段が上記ＲＡＭ領域に書き込む上記配信情報は、暗号化処理に対して復号化処理が施され、圧縮処理に対して伸張処理が施されたオーディオ、ビデオ及び／又はコンピュータのデータであることを特徴とする請求項１記載の情報記録装置。
【請求項５】
上記書き込み制御手段は、上記配信情報に著作権情報を付加することを特徴とする請求項１記載の情報記録装置。
【請求項６】
情報配信側との間で結ばれた契約により情報受信側の契約者が受け取った配信情報を情報記録媒体に記録するための情報記録方法であって、
通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域から取り出した上記契約者情報に基づいて上記情報記録媒体の上記ＲＡＭ領域に上記配信情報を書き込むと共に、上記電気的消去型のプログラマブルＲＯＭ領域に記録されている上記課金情報を上記ＲＡＭ領域への上記配信情報の書き込みに応じて更新すること
を特徴とする情報記録方法。
【請求項７】
情報配信側との間で結ばれた契約により契約者に配信されてきた配信情報と該契約者に関する情報及び課金に関する情報とが記録された情報記録媒体から上記配信情報を再生する情報再生装置であって、
通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域からの上記契約者情報に基づいて上記情報記録媒体のＲＡＭ領域に書き込まれている配信情報を読み出す読み出し制御手段を備えており、
上記読み出し制御手段は、上記情報記録媒体のＲＡＭ領域から上記配信情報を読み出すと共に、上記電気的消去型のプログラマブルＲＯＭ領域に記録されている課金情報を上記ＲＡＭ領域からの上記配信情報の読み出しに応じて更新することを特徴とする情報再生装置。
【請求項８】
上記読み出し制御手段が上記ＲＡＭ領域から読み出す上記配信情報は、暗号化処理に対して復号化処理が施され、圧縮処理に対して伸張処理が施された後のオーディオ、ビデオ及び／又はコンピュータのデータであることを特徴とする請求項７記載の情報再生装置。
【請求項９】
上記読み出し制御手段は、著作権情報に応じて上記ＲＡＭ領域から上記配信情報を読み出すことを特徴とする請求項７記載の情報再生装置。
【請求項１０】
情報配信側との間で結ばれた契約により契約者に配信されてきた配信情報と該契約者に関する情報及び課金に関する情報とが記録された情報記録媒体から上記配信情報を再生するための情報再生方法であって、
通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域からの上記契約者情報に基づいて上記情報記録媒体のＲＡＭ領域に書き込まれている配信情報を読み出すと共に、上記電気的消去型のプログラマブルＲＯＭ領域に記録されている課金情報を上記ＲＡＭ領域からの上記配信情報の読み出しに応じて更新すること
を特徴とする情報再生方法。
【請求項１１】
情報配信側との間で結ばれた契約により情報受信側の契約者が受け取った配信情報を情報記録媒体に記録すると共に、この情報記録媒体に記録されている配信情報を再生する情報記録再生装置であって、
通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域から取り出した上記契約者情報に基づいて上記情報記録媒体の上記ＲＡＭ領域に上記配信情報を書き込むと共に、上記電気的消去型のプログラマブルＲＯＭ領域から取り出した上記契約者情報に基づいて上記ＲＡＭ領域に書き込まれている配信情報を読み出す制御手段を備えており、
上記制御手段は、上記情報記録媒体のＲＡＭ領域に上記配信情報を書き込むと共に上記電気的消去型のプログラマブルＲＯＭ領域に記録されている上記課金情報を上記配信情報の上記ＲＡＭへの書き込みに応じて更新し、さらに上記情報記録媒体のＲＡＭ領域から上記配信情報を読み出すと共に上記電気的消去型のプログラマブルＲＯＭ領域に記録されている課金情報を上記ＲＡＭからの上記配信情報の読み出しに応じて更新することを特徴とする情報記録再生装置。
【発明の詳細な説明】
【０００１】
【発明の属する技術分野】
本発明は、例えば有料のディジタル放送を契約者に配信するような放送局から送られてきたディジタルビデオ、ディジタルオーディオ及び／又はコンピュータのデータを記録媒体に記録するための情報記録装置及び方法並びに情報記録媒体に記録された上記ディジタルビデオ、ディジタルオーディオ及び／又はコンピュータのデータを再生する情報再生装置及び方法並びに情報記録再生装置に関する。
【０００２】
【従来の技術】
ディジタル衛星多チャンネルテレビジョン放送や、有線テレビジョン放送は、情報配信側である放送局と受信側との間で結ばれた契約に基づいて、契約者となったユーザに配信される。具体的には、ディジタルビデオ、オーディオデータ等を配信側で暗号化し、受信契約を正しくした契約者のみに復号化を行わせる限定受信（Conditional Access：ＣＡ）システムが導入されている。
【０００３】
このＣＡシステムでは、契約者側に備えた情報受信装置で放送局側から暗号化されて配信されたデータ等を復号させていた。
【０００４】
【発明が解決しようとする課題】
ところで、上記ディジタルビデオ、オーディオデータ等は、複製を繰り返しても殆ど画質／音質の劣化が無いので、上記契約者側での復号化後の記録や再生を制限しないと著作権の保護ができなくなってしまう。
【０００５】
このため、契約者情報や課金情報を記憶させた半導体集積化（ＩＣ）カードを上記各ユーザに配布し、これらの情報にしたがって上記復号化データを記録／再生させることが考えられている。
【０００６】
しかし、上記ＩＣカードには、上記ディジタルビデオ、オーディオデータ等を記録する機能がなく、別途データを蓄積するための記録媒体が必要であったため、データの記録／再生に伴う課金や著作権の保護、また複製の制限等の処理が複雑化してしまっていた。
【０００７】
また、上記契約者の情報や課金情報が同一記録媒体に記録されていないため、例えば受信記録装置から、一旦アナログ接続でカセットテープや、ビデオカセットテープに記録されてしまうと課金やコピー制限、違法複製の追跡が困難となる。
【０００９】
また、本発明は、上記実情に鑑みてなされたものであり、上記情報記録媒体に記録された契約者情報や課金情報等に基づいて上記配信情報を上記情報記録媒体の書き換え可能領域に記録することで、課金やコピー制限、違法複製の追跡を容易とすることのできる情報記録装置及び方法の提供を目的とする。
【００１０】
また、本発明は、上記実情に鑑みてなされたものであり、上記情報記録媒体に記録された契約者情報や課金情報等に基づいて上記配信情報を上記情報記録媒体の書き換え可能領域から再生することで、課金やコピー制限、違法複製の追跡を容易とすることのできる情報再生装置及び方法の提供を目的とする。
【００１１】
【課題を解決するための手段】
本発明に係る情報記録装置及び方法は、上記課題を解決するために、通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域から取り出した上記契約者情報に基づいて上記情報記録媒体の上記ＲＡＭ領域に上記配信情報を書き込むと共に、上記電気的消去型のプログラマブルＲＯＭ領域に記録されている上記課金情報を上記ＲＡＭ領域への上記配信情報の書き込みに応じて更新する。
【００１２】
本発明に係る情報再生装置及び方法は、上記課題を解決するために、通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域からの上記契約者情報に基づいて上記情報記録媒体のＲＡＭ領域に書き込まれている配信情報を読み出すと共に、上記電気的消去型のプログラマブルＲＯＭ領域に記録されている課金情報を上記ＲＡＭ領域からの上記配信情報の読み出しに応じて更新する。
【００１３】
本発明に係る情報記録再生装置は、上記課題を解決するために、通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域から取り出した上記契約者情報に基づいて上記情報記録媒体の上記ＲＡＭ領域に上記配信情報を書き込むと共に、上記電気的消去型のプログラマブルＲＯＭ領域から取り出した上記契約者情報に基づいて上記ＲＡＭ領域に書き込まれている配信情報を読み出す制御手段を備えており、上記制御手段は、上記情報記録媒体のＲＡＭ領域に上記配信情報を書き込むと共に上記電気的消去型のプログラマブルＲＯＭ領域に記録されている上記課金情報を上記配信情報の上記ＲＡＭへの書き込みに応じて更新し、さらに上記情報記録媒体のＲＡＭ領域から上記配信情報を読み出すと共に上記電気的消去型のプログラマブルＲＯＭ領域に記録されている課金情報を上記ＲＡＭからの上記配信情報の読み出しに応じて更新する。
【００１５】
【発明の実施の形態】
以下、本発明に係る情報記録装置及び方法並びに情報再生装置及び方法並びに情報記録再生装置の実施の形態について図面を参照しながら説明する。
【００１６】
この実施の形態は、図１に示すような、ディジタルデータ送受信システムである。このディジタルデータ送受信システムは、情報配信側である放送局１０と、契約により上記放送局１０からの情報を受信できるユーザ側に備えられた受信復号記録再生装置１５，１８と、放送局１０から送信アンテナ１１を介して電波として送信された情報を上記ユーザ側の受信アンテナ１４に転送する通信衛星１２で構成される。あるいは、放送局１０と上記ユーザ間を有線接続するケーブル１３とを有して構成されてもよい。
【００１７】
放送局１０から配信されるオーディオビデオ情報（ＡＶコンテンツ）としては、音楽ソースＳｍ、映画やテレビ番組等の映像ソース、ラジオ番組ソースＳｒ、ゲームソフトＳｇ等がある。放送局１０では、これらソース、ソフトデータをＭＰＥＧ２の伝送フォーマットであるトランスポートストリーム（Transport Stream、ＴＳ）パケットとして多重化して伝送する。この多重化の前には、暗号化部により暗号化鍵を用いての暗号化が施されている。
【００１８】
上記通信衛星１２又は上記ケーブル１３によって伝送された多重化ＡＶコンテンツデータ（以下、ＡＶデータという）は、上記ユーザ側に設置される受信復号記録再生装置１５又は１８に供給される。
【００１９】
受信復号記録再生装置１５は、上記ＡＶデータに復号化処理や、伸張処理を施したり、又はそのままＩＣカード１６の書き換え可能な領域に書き込む。また、受信復号記録再生装置１８は、上記ＡＶデータを光磁気ディスク２０に書き込む。
【００２０】
ここで、ＩＣカード１６は、本発明に係る上記情報記録媒体の第１の実施例となる。この第１の実施例となるＩＣカード１６は、放送局１０との間で結ばれた契約により情報受信側の契約者が受け取った上記ＡＶデータを記録しておく情報記録媒体であり、図２に示すように、外部から書き換え不可能な第１の領域となる電気的消去型のプログラマブルＲＯＭ（electrically erasable and programable ROM、以下ＥＥ−ＰＲＯＭと記す）２５と、書き換え可能なフラッシュメモリー２６とを有してなり、ＥＥ−ＰＲＯＭ２５には上記契約者に関する契約者情報と記録又は再生に関する課金情報とを記録している。さらに、このＩＣカード１６は、内部バス２７を中心にＣＰＵコア２８と、ＩＣカードの内部信号処理の手順を記録したプログラムを格納するプログラムＲＯＭ２９と、上記受信復号記録再生装置１５と通信するためのコネクタバスであるＩＣカードバス３０とを備えている。
【００２１】
このＩＣカード１６のＥＥ−ＰＲＯＭ２５に記録されている契約者情報／課金情報は、契約者を識別したり、視聴情報を記録して課金するために使われる。契約者情報や課金情報が、上記ＡＶデータと同一のメディア上に記録されるので、容易に記録時に課金を行うことが可能であり、さらに再生時にも容易に課金を行うことができる。
【００２２】
このＩＣカード１６を記録媒体として上記ＡＶデータを記録する受信復号記録再生装置１５の内部構成を図３に示す。この受信復号記録再生装置１５は、受信アンテナ１４を介して供給されたトランスポートストリーム化されたＡＶデータを受信するチューナ３１と、上記ＡＶデータの暗号化を解く復号化部３２と、この復号化部３２で復号化されたデータを伸張する伸張部３３と、内部バス３５を介して上記ＩＣカード１６に上記ＡＶコンテンツデータを記録するためのコネクタバスであるＩＣカードバス３６と、このＩＣカードバス３６を介してＩＣカード１６から読み出した上記契約者情報に基づいてＩＣカード１６のフラッシュメモリ２６に上記ＡＶデータを書き込むシステムコントローラ３７と、ユーザーが図示しない操作パネルで行った操作をシステムコントローラ３７に伝えるユーザーＩ／Ｆ３８と、伸張部３３で伸張された上記ＡＶデータに加算器３４ａ及び３４ｂを介して付加される著作権制御信号を生成する著作権制御信号生成部３９とを備えてなる。
【００２３】
チューナ３１で受信した上記ＡＶデータとなるトランスポートストリームは、内部バス３５を介して復号化部３２に入力される。復号化部３２は、システムコントローラ３７がＩＣカード１６のＥＥ−ＰＲＯＭ２５から読み出した上記契約者情報や暗号解読鍵を基に、上記トランスポートストリームに暗号解読処理やデスクランブル処理を施す。さらに、伸張部３３でデータの伸張、例えばＭＰＥＧ２による圧縮が解かれる。そして、加算器３４ａ及び３４ｂで著作権制御信号生成部３９からの著作権制御信号を多重化した後、オーディオ出力、ビデオ出力となり、ＩＣカード１６のフラッシュメモリ２６に書き込まれる。
【００２４】
ここで、ＩＣカード１６のフラッシュメモリ２６には、著作権保護のレベルに応じて、チューナ３１からの暗号化、スクランブル化された状態のトランスポートストリームのままのデータ、復号化部３２で暗号解読、デスクランブル処理された後のデータ、または伸張部３３で伸張された後のＡＶデータが記録されてもよい。
【００２５】
ここで、システムコントローラ３７は、ＩＣカード１６のフラッシュメモリ２６に上記各状態でのＡＶデータを書き込む際に、ＥＥ−ＰＲＯＭ２５に記録されている課金情報を更新する。
【００２６】
また、この受信復号記録再生装置１５は、ＩＣカード１６のフラッシュメモリ２６に記録されたＡＶコンテンツデータをユーザの操作に応じて再生する。この場合、システムコントローラ３７は、ＩＣカード１６のＥＥ−ＰＲＯＭ２５に記録されている契約者情報に基づいて上記ＡＶデータの読み出しを制御する。
【００２７】
ここで、システムコントローラ３７は、ＩＣカード１６のフラッシュメモリ２６から上記ＡＶデータを読み出す際に、ＥＥ−ＰＲＯＭ２５に記録されている課金情報を更新してもよい。
【００２８】
この受信復号記録再生装置１５の記録／再生動作について図４〜図７を用いて説明する。図４及び図６はＡＶデータをＩＣカード１６に書き込む際の動作遷移図であり、特に図４は書き込み時に課金情報を更新する例を示す。図５及び図７はＡＶデータをＩＣカード１６から読み出す際の動作遷移図であり、特に図７は読み出し時に課金情報を更新する例を示す。
【００２９】
先ず、図４及び図５を用いて書き込み時に課金情報を更新する動作の具体例を説明する。
【００３０】
放送局１０から配信されるＡＶデータをユーザが受信復号記録再生装置１５を使ってＩＣカード１６にダウンロードしたいという場合、システムコントローラ３７はＩＣカード１６に契約者情報の転送を要求する。ＩＣカード１６のＥＥ−ＰＲＯＭ２５から契約者情報が返送されてくると、システムコントローラ３７は、自分の持っている識別情報（ＩＤ）と上記契約者情報とを照らし合わせる。ここで契約者の確認が成立すれば、ＩＣカード１６が正しい契約者の所有するＩＣカードだと判断する。
【００３１】
次に、システムコントローラ３７は、ＩＣカード１６のフラッシュメモリ２６にどれくらいのデータ記録領域サイズがあるかをＡＶデータ記録領域確保要求を送ってたずねる。ここで、ＩＣカード１６から返送されるＡＶデータ領域サイズ情報を基に十分なＡＶデータ領域が確保できれば、システムコントローラ３７は上記チューナ３１、復号化部３２又は伸張部３３を介して受け取った上記ＡＶデータをフラッシュメモリ２６に記録する。
【００３２】
そして、ＡＶデータの書き込みを終了すると、システムコントローラ３７は、ＩＣカード１６のＥＥ−ＰＲＯＭ２５内に例えば所定量のＡＶデータを書き込みましたという情報を送り、課金情報を更新する。これをもってＡＶデータのダウンロードを完了する。
【００３３】
ＡＶデータ書き込み時に課金情報を更新した場合の上記ＩＣカード１６からのＡＶデータの読み出し動作は図５に示す通りとなる。すなわち、ユーザがＩＣカード１６に一旦記録したＡＶデータの再生をしたいという場合、システムコントローラ３７はＩＣカード１６に契約者情報の転送を要求する。ＩＣカード１６のＥＥ−ＰＲＯＭ２５から契約者情報が返送されて、システムコントローラ３７がＩＣカード１６が正しい契約者の所有するものだと判断した場合には、以下の動作を続けるが、正しい契約者のものではないと判断すると以下の動作を停止する。
【００３４】
システムコントローラ３７がＩＣカード１６が正しい契約者のものだと判断すると、次に、システムコントローラ３７は、ＩＣカード１６にＡＶデータには著作権／コピー制御情報の付加があるか否かを制御情報を要求して返送された結果から知る。ここで、データの出力条件の確認を行う。もし、ここで記録が禁止されるような制御情報を受け取れば、ＡＶデータの再生時に、例えば、マクロビジョン等のような信号を付加して再生する。
【００３５】
ここで、データの出力条件が確定すれば、システムコントローラ３７は、ＩＣカード１６のフラッシュメモリ２６からＡＶデータの読み出しを開始するための要求を出す。そして、ＡＶデータがＩＣカード１６から読み出される。これによりＡＶデータが受信復号記録再生装置１５により再生されることになる。
【００３６】
読み出し時に課金情報を更新する場合には、図６及び図７に示すような動作となるが、この場合の受信復号記録再生装置１５の動作が、上記図４及び図５を用いて説明した動作と異なるのは、課金情報の更新を図６のＡＶデータ書き込み時に行うのではなく、ＡＶデータ再生時に、すなわち、図７のＡＶデータ転送完了後に行うことである。他の各ステップの動作については上記図４及び図５に示したのと同じであるのでここでは説明を省略する。
【００３７】
このように、この受信復号記録再生装置１５は、契約者情報、課金情報を記録している同一のＩＣカード１６にＡＶデータも記録し、さらに再生することができるので、データの記録／再生に伴う課金や著作権の保護、コピーコントロールを比較的に容易にかつ確実に行うことができる。
【００３８】
なお、受信復号記録再生装置１５によって圧縮された状態でＩＣカード１６に記録されたＡＶデータを再生するには、図８に示すようなＩＣカードアダプタ４１を用いてもよい。
【００３９】
このＩＣカードアダプタ４１は、ＩＣカード１６から例えば圧縮されたＡＶデータを読み出すためのコネクタバスであるＩＣカードバス４２と、ＩＣカード１６のＥＥ−ＰＲＯＭ２５に記録されている契約者情報に基づいて上記圧縮ＡＶデータの読み出しを制御するシステムコントローラ４６と、このシステムコントローラ４６の制御により読み出されてきた圧縮ＡＶデータを内部バス４５を介して受け取り伸張処理を施す伸張部４３と、ユーザが操作パネルで行った操作をシステムコントローラ４６に伝えるユーザーＩ／Ｆ４７と、伸張部４３で伸張されたＡＶデータに加算器４４ａ及び４４ｂを介して付加される著作権制御信号を生成する著作権制御信号生成部４８とを備えてなる。
【００４０】
ＩＣカード１６には、ＡＶデータと課金情報が記録されているため、このようなアダプタ４１を用いた再生の場合にも、再生回数に応じて課金することが可能となる。さらに、ＩＣカードが暗号化されたデータを記録している場合には、再生課金に対応していないアダプタに対しては再生ができないようにすることもできる。
【００４１】
次に、本発明に係る上記情報記録媒体の第２の実施例について説明する。この第２の実施例は図９に示すような光磁気ディスク２０であり、ディスクカートリッジ５０の中に収納されていてもよい。この光磁気ディスク２０は、外部から書き換えられない領域２０ａと、外部から書き換えられる領域２０ｂとを有してなる。
【００４２】
外部から書き換えられない領域２０ａには、外部から書き換えが不可能な他の記録媒体、例えば図１０に示すＩＣカード１９から契約者情報と著作権情報が転送されて記録されている。このため、光磁気ディスク２０では、ＡＶデータをダウンロードした契約者を特定することが可能となる。これは、例えばＡＶデータを領域２０ｂから読み出して出力する際に、ＩＣカード１９から上記領域２０ａに転送された契約者情報をＡＶデータに多重することによって実現される。
【００４３】
ＩＣカード１９は、図２に示したＩＣカード１６と比べると、フラッシュメモリ２６を省略した構成となっている。すなわち、外部から書き換え可能なＡＶデータを記録する領域を持たない。その他の構成は同様であるので、説明を省略する。
【００４４】
光磁気ディスク２０を記録媒体として上記ＡＶコンテンツデータを記録する受信復号記録再生装置１８の内部構成を図１１に示す。この受信復号記録再生装置１８が上記図３に示した受信復号記録再生装置１５と異なるのは、光磁気ディスクドライブ７０を新たに備えている点である。他の各部は同様であるので説明を省略する。
【００４５】
この受信復号記録再生装置１８は、図１０に示したＩＣカード１９のＥＥ−ＰＲＯＭ５３から契約者情報／課金情報を読み出し、光磁気ディスク２０の外部から書き換え不可能な領域２０ａに転送して記録し、この領域２０ａに転送記録された上記契約者情報／課金情報等に基づいてシステムコントローラ６７が上記ＡＶデータの書き換え可能領域２０ｂへの書き込み読み出しを制御することが特徴的である。
【００４６】
なお、ここでも光磁気ディスク２０の領域２０ｂには、著作権保護のレベルに応じて、チューナ６１からの暗号化、スクランブル化された状態のトランスポートストリームのままのＡＶデータ、復号化部６２で暗号解読、デスクランブル処理された後のＡＶデータ、または伸張部６３で伸張された後のＡＶデータが記録されてもよい。
【００４７】
ここで、システムコントローラ６７は、光磁気ディスク２０の上記領域２０ｂに上記各状態でのＡＶデータを書き込む際に、上記課金情報を更新する。
【００４８】
また、この受信復号記録再生装置１８は、光磁気ディスク２０の上記領域２０ｂに記録されたＡＶデータをユーザの操作に応じて再生する。
【００４９】
ここで、システムコントローラ６７は、光磁気ディスク２０の上記領域２０ｂから上記ＡＶデータを読み出す際に、上記課金情報を更新してもよい。
【００５０】
この受信復号記録再生装置１８の記録／再生動作について図１２〜図１５を用いて説明する。図１２及び図１３は上記ＡＶデータを光磁気ディスク２０に書き込む際の動作遷移図であり、特に図１２は書き込み時に課金情報を更新する例を示す。図１４及び図１５はＡＶデータを光磁気ディスク２０から読み出す際の動作遷移図であり、特に図１５は読み出し時に課金情報を更新する例を示す。
【００５１】
先ず、図１２及び図１３を用いて書き込み時に課金情報を更新する動作の具体例を説明する。
【００５２】
放送局１０から配信される上記ＡＶデータをユーザが受信復号記録再生装置１８を使って光磁気ディスク２０にダウンロードしたいという場合、システムコントローラ６７はＩＣカード１９に契約者情報の転送を要求する。ＩＣカード１９のＥＥ−ＰＲＯＭ５３から契約者情報が返送されてくると、システムコントローラ６７は、上記契約者情報を光磁気ディスク２０の領域２０ａに転送する。そして、上記領域２０ａへの契約者情報の書き込みが完了すると、システムコントローラ６７は、自分の持っている識別情報（ＩＤ）と上記契約者情報とを照らし合わせ契約者の確認を行う。
【００５３】
次に、システムコントローラ６７は、光磁気ディスク２０の上記領域２０ｂにどれくらいのデータ記録領域サイズがあるかをＡＶデータ記録領域確保要求を送ってたずねる。ここで、光磁気ディスクから返送されるＡＶデータ領域サイズ情報を基に十分なＡＶデータ領域が確保できれば、システムコントローラ６７は上記チューナ６１、復号化部６２又は伸張部６３を介して受け取った上記ＡＶデータを光磁気ディスク２０に記録する。
【００５４】
そして、ＡＶデータの書き込みを終了すると、システムコントローラ６７は、ＩＣカード１９のＥＥ−ＰＲＯＭ５３内に例えば所定量のＡＶデータを書き込みましたという情報を送り、課金情報を更新する。これをもってＡＶデータのダウンロードを完了する。
【００５５】
ＡＶデータ書き込み時に課金情報を更新した場合の光磁気ディスク２０からのＡＶデータの読み出し動作は図１３に示す通りとなる。すなわち、ユーザが光磁気ディスク２０に一旦記録したＡＶデータの再生をしたいという場合、システムコントローラ６７はＩＣカード１９に契約者情報の転送を要求する。ＩＣカード１９のＥＥ−ＰＲＯＭ５３から契約者情報が返送されてくると、システムコントローラ６７は光磁気ディスク２０にも契約者情報の転送を要求する。光磁気ディスク２０から契約者情報が返送されると、システムコントローラ６７は、契約者の確認を行い、契約者確認が成立すると、光磁気ディスク２０にＡＶデータには著作権／コピー制御情報の付加があるか否かを制御情報を要求して返送された結果から知る。ここで、データの出力条件の確認を行う。もし、ここで記録が禁止されるような制御情報を受け取れば、ＡＶデータの再生時に、例えば、マクロビジョン等のような信号を付加して再生する。
【００５６】
また、ここで、データの出力条件が確定すれば、システムコントローラ６７は、光磁気ディスク２０の領域２０ｂからＡＶデータの読み出しを開始するための要求を出す。そして、ＡＶデータが光磁気ディスク２０から読み出される。これによりＡＶデータが受信復号記録再生装置１８により再生されることになる。
【００５７】
読み出し時に課金情報を更新する場合には、図１４及び図１５に示すような動作となるが、この場合の受信復号記録再生装置１８の動作が、上記図１２及び図１３を用いて説明した動作と異なるのは、課金情報の更新を図１２に示したようにＡＶデータ書き込み時に行うのではなく、ＡＶデータ再生時に、すなわち、図１５のＡＶデータ転送完了後に行うことである。他の各ステップの動作については上記図１２及び図１３に示したのと同じであるのでここでは説明を省略する。
【００５８】
ここで、再生時課金の場合、光磁気ディスク２０を他の契約者に貸して再生するような場合、借りた人の課金情報が更新されるようにして、借りた人の口座から金が引き落とされるようにしてもよい。
【００５９】
このように、この受信復号記録再生装置１８は、契約者情報、課金情報を記録しているＩＣカード１９から該契約者情報、課金情報を光磁気ディスク２０の上記領域２０ａに転送記録してから、上記領域２０ｂにＡＶデータを記録し、さらに再生することができるので、データの記録／再生に伴う課金や著作権の保護、コピーコントロールを比較的に容易にかつ確実に行うことができる。
【００６０】
なお、本発明に係る情報記録媒体は、ＩＣカード及び上記光磁気ディスクを実施例としたが、これに限定されることなく、磁気ディスクや光ディスク等の記録媒体でもよい。
【００６１】
また、本発明において対象としたＡＶデータは、例えば放送局から契約に応じて配信されるとしたが、情報配信側からディジタル記録媒体に記録された状態で配布されるようにしてもよい。
【００６２】
【発明の効果】
本発明に係る情報記録装置及び方法は、通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域から取り出した上記契約者情報に基づいて上記情報記録媒体の上記ＲＡＭ領域に上記配信情報を書き込むと共に、上記電気的消去型のプログラマブルＲＯＭ領域に記録されている上記課金情報を上記ＲＡＭ領域への上記配信情報の書き込みに応じて更新するので、課金やコピー制限、違法複製の追跡を容易とする。
【００６３】
本発明に係る情報再生装置及び方法は、通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域からの上記契約者情報に基づいて上記情報記録媒体のＲＡＭ領域に書き込まれている配信情報を読み出すと共に、上記電気的消去型のプログラマブルＲＯＭ領域に記録されている課金情報を上記ＲＡＭ領域からの上記配信情報の読み出しに応じて更新するので、課金やコピー制限、違法複製の追跡を容易とする。
【００６４】
本発明に係る情報記録再生装置は、通常状態では外部からの書き換えが不可能であるが特定の状態では書き換えが可能であり、かつ上記契約者に関する契約者情報と課金に関する課金情報とを記録している電気的消去型のプログラマブルＲＯＭ領域と、通常状態で書き換え可能なＲＡＭ領域とを有してなる上記情報記録媒体の上記電気的消去型のプログラマブルＲＯＭ領域から取り出した上記契約者情報に基づいて上記情報記録媒体の上記ＲＡＭ領域に上記配信情報を書き込むと共に、上記電気的消去型のプログラマブルＲＯＭ領域から取り出した上記契約者情報に基づいて上記ＲＡＭ領域に書き込まれている配信情報を読み出す制御手段を備えており、上記制御手段は、上記情報記録媒体のＲＡＭ領域に上記配信情報を書き込むと共に上記電気的消去型のプログラマブルＲＯＭ領域に記録されている上記課金情報を上記配信情報の上記ＲＡＭへの書き込みに応じて更新し、さらに上記情報記録媒体のＲＡＭ領域から上記配信情報を読み出すと共に上記電気的消去型のプログラマブルＲＯＭ領域に記録されている課金情報を上記ＲＡＭからの上記配信情報の読み出しに応じて更新するので、課金やコピー制限、違法複製の追跡を容易とする。
【図面の簡単な説明】
【図１】本発明の実施の形態となるディジタルデータ送受信システムのブロック図である。
【図２】上記ディジタルデータ送受信システムで用いられるＩＣカード、すなわち本発明に係る情報記録媒体の第１の実施例のブロック図である。
【図３】上記ディジタルデータ送受信システムで用いられるＩＣカードにＡＶデータを記録再生する受信復号記録再生装置のブロック図である。
【図４】上記図３に示した受信復号記録再生装置が行う課金情報の更新を伴った記録動作を示す状態遷移図である。
【図５】上記図３に示した受信復号記録再生装置が図４に示す記録動作を行った後に、ＩＣカードに対して施す再生動作を示す状態遷移図である。
【図６】上記図３に示した受信復号記録再生装置の課金情報の更新を伴わない記録動作を示す状態遷移図である。
【図７】上記図３に示した受信復号記録再生装置が行う課金情報の更新を伴った再生動作を示す状態遷移図である。
【図８】上記図３に示した受信復号記録再生装置によりＡＶデータが記録されたＩＣカードを再生するＩＣカードアダプタの内部構成を示すブロック図である。
【図９】本発明に係る情報記録媒体の第２の実施例となる光磁気ディスクのフォーマット図である。
【図１０】上記図９に示した光磁気ディスクと共に用いられるＩＣカードの内部ブロック図である。
【図１１】上記図９に示した光磁気ディスク及び図１０に示したＩＣカードを用いてＡＶデータの記録再生を行う受信復号記録再生装置のブロック図である。
【図１２】上記図１１に示した受信復号記録再生装置が行う課金情報の更新を伴った記録動作を示す状態遷移図である。
【図１３】上記図１１に示した受信復号記録再生装置が図１２に示す記録動作を行った後に行う再生動作を示す状態遷移図である。
【図１４】上記図１１に示した受信復号記録再生装置の課金情報の更新を伴わない記録動作を示す状態遷移図である。
【図１５】上記図１１に示した受信復号記録再生装置の課金情報の更新を伴った再生動作を示す状態遷移図である。
【符号の説明】
１５，１８  受信復号記録再生装置、１６  ＩＣカード、２０  光磁気ディスク、２５  ＥＥ−ＰＲＯＭ、２６  フラッシュメモリ、３２  復号化部、３３  伸張部、３７  システムコントローラ、３９  著作権制御信号生成部
【図１】
0004190601.tif 000002
【図２】
0004190601.tif 000003
【図３】
0004190601.tif 000004
【図４】
0004190601.tif 000005
【図５】
0004190601.tif 000006
【図６】
0004190601.tif 000007
【図７】
0004190601.tif 000008
【図８】
0004190601.tif 000009
【図９】
0004190601.tif 000010
【図１０】
0004190601.tif 000011
【図１１】
0004190601.tif 000012
【図１２】
0004190601.tif 000013
【図１３】
0004190601.tif 000014
【図１４】
0004190601.tif 000015
【図１５】
0004190601.tif 000016